(57)【要約】      （修正有）【課題】根巻き等の根の異常変形のない健全な根鉢を持った苗木を多量に育成することが可能なカセット式苗木育成コンテナを提供する。【解決手段】苗木を育成するためのセル１０は上部を上端の４つの角部が水平方向外側に伸びた鍔部１１ａを有する四角枠部１１に形成し、その上部から下方を側板１２ａが傾斜したコーン部１２に形成する。側板１２ａに底板中心１２ｆに関して互いに異なった角度で形成された第１スリット１２ｃ及び第２スリット１２ｄを高さ方向に沿って重複しないように別個に形成する。第２スリット１２ｄは側板１２ａ及び底板１２ｂを切り欠いて底部中心１２ｆに達するようにする。セル１０を受けるトレイ部は、セル１０の四角枠部１１が嵌合する角形凹部を上面に形成する共に、角形凹部の底面にコーン部１２を貫通させる貫通穴を形成する。トレイ部には脚部を設ける。【選択図】図２
2020195338.tif 000002
【特許請求の範囲】
【請求項１】
苗木を育成するための容器（１０）と、
複数の前記容器を収容すると共に複数の脚部（２６）を有するトレイ部（２０）と、を備えた苗木育成コンテナであって、
前記容器（１０）は上部が径方向外側に張り出した枠部（１１）に形成され該上部から下方がコーン形状部（１２）に形成され、且つ
前記トレイ部（２０）は前記枠部（１１）が嵌合する凹部（２１）が形成されると共に前記コーン形状部（１２）を通す貫通穴（２２ａ）が形成され、且つ
各前記容器（１０）は別個独立に前記トレイ部（２０）から分離可能に構成されている
ことを特徴とするカセット式苗木育成コンテナ。
【請求項２】
請求項１に記載のカセット式苗木育成コンテナにおいて、
前記枠部（１１）の天板（１１ａ）には水平方向外側に伸びた鍔部（１１ｄ）が形成されている
ことを特徴とするカセット式苗木育成コンテナ。
【請求項３】
請求項１又は２に記載のカセット式苗木育成コンテナにおいて、
前記枠部（１１）の底部内周面（１１ｃ）は中心に向かうに従って高さが大きくなるテーパー面を成している
ことを特徴とするカセット式苗木育成コンテナ。
【請求項４】
請求項１から３の何れか１項に記載のカセット式苗木育成コンテナにおいて、
前記コーン形状部（１２）は、底面の中心（１２ｆ）に関して放射状に重複することなく互いに異なる角度で形成された第１スリット部（１２ｃ）及び第２スリット部（１２ｄ）を高さ方向に沿って重複しないように別個に有する
ことを特徴とするカセット式苗木育成コンテナ。
【請求項５】
請求項４に記載のカセット式苗木育成コンテナにおいて、
前記第２スリット部（１２ｄ）は、前記第１スリット部（１２ｃ）より下方に形成され、且つスリットの本数が前記第１スリット部（１２ｃ）よりも多い
ことを特徴とするカセット式苗木育成コンテナ。
【請求項６】
請求項４又は５に記載のカセット式苗木育成コンテナにおいて、
前記第２スリット部（１２ｄ）は、前記コーン形状部（１２）の側面及び底面を切り欠いて前記底面の中心（１２ｆ）を含む
ことを特徴とするカセット式苗木育成コンテナ。
【請求項７】
請求項４から６の何れか１項に記載のカセット式苗木育成コンテナにおいて、
前記コーン形状部（１２）の内周面には、リブ（１２ｇ）が前記第１スリット部（１２ｃ）及び前記第２スリット部（１２ｄ）の何れの仮想延長線上にも存在しないように形成されている
ことを特徴とするカセット式苗木育成コンテナ。
【請求項８】
請求項１から７の何れか１項に記載のカセット式苗木育成コンテナにおいて、
前記容器（１０）は透明性を有する合成樹脂から成形される
ことを特徴とするカセット式苗木育成コンテナ。
【請求項９】
請求項１から８の何れか１項に記載のカセット式苗木育成コンテナにおいて、
前記トレイ部（２０）は透明性を有する合成樹脂から成形される
ことを特徴とするカセット式苗木育成コンテナ。
【請求項１０】
請求項１から９の何れか１項に記載のカセット式苗木育成コンテナにおいて、
前記容器（１０）は生分解材料から成形される
ことを特徴とするカセット式苗木育成コンテナ。
【請求項１１】
請求項１から１０の何れか１項に記載のカセット式苗木育成コンテナにおいて、
前記枠部は四角枠部（１１）又は円柱枠部に形成されている
ことを特徴とするカセット式苗木育成コンテナ。
【発明の詳細な説明】
【技術分野】
【０００１】
本発明は、カセット式苗木育成コンテナに関し、より詳細には根巻き等の根の異常変形のない健全な根鉢を持った苗木を多量に育成することが可能なカセット式苗木育成コンテナに関する。
【背景技術】
【０００２】
苗木を専用の容器（ポット）で育成するのでなはく、トレイに縦長コーン状の凹部（キャビティ）を例えば格子状に形成した、いわゆるマルチキャビティコンテナ（以下、「コンテナ」という。）と呼ばれる育苗装置で多量の苗木を育成することが知られている（例えば、特許文献１を参照。）。なお、上記ポットにおいて育成された苗木のことは「ポット苗」と呼ばれ、上記コンテナにおいて育成された苗木のことは「コンテナ苗」と呼ばれている。各コンテナ苗は上記キャビティにおいて育成される。
【０００３】
ポット苗とコンテナ苗は育成容器が違うだけでなく、多くの点で異なっている。先ず、根鉢の形状が異なる。ポット苗は横長縦短の形状になるのに対し、コンテナ苗は横短縦長の形状になる。従って、コンテナ苗はポット苗に比べ根鉢が崩れにくい成型性を有している。そのためコンテナ苗は土壌に移植し易く、「プラグ苗」とも呼ばれている。また、ポットの容量が４５０ｃｃ程度であるに対し、キャビティの容量は１５０ｃｃ程度である。さらに、育苗に使用される培地（培土）は、ポット苗では土壌をベースとしているのに対し、コンテナ苗ではココナツハスク、ピートモス等の有機培地をベースとしている。その結果、コンテナ苗はポット苗に比べて小型軽量で且つ取扱い性が良く土壌に移植し易いという利点を有している。
【０００４】
コンテナ苗とポット苗の最も大きな違いは、苗木の根の生育状態にある。ポット苗の場合、容器内周面に到達した根は内周面に沿って延々と伸び続けることにより、根巻きが生じる。根巻きは自分の根で自分の根本を絞める虞があり、最悪の場合、根腐れ、枯死にまで至る虞がある。これに対しコンテナ苗の場合、キャビティ内周面に沿って空気根切り孔が放射状に複数形成されている。そのため、根は空気根切り孔を回避するように下方に沿って伸びて、底部において空気根切り孔によって成長を止めることになる。これにより、コンテナ苗では根巻きが生じることはない。
【０００５】
また、上記育苗装置以外にも複数の植え込み凹部（キャビティ）を列状に設けた植え込みユニットと、その植え込みユニットを一面状に並べて保持する枠体とで構成された栽培トレイについても知られている（例えば、特許文献２を参照。）。
【先行技術文献】
【特許文献】
【０００６】
【特許文献１】実用新案登録第３２０５３６１号
【特許文献２】特開２００８−１１７２９号公報
【発明の概要】
【発明が解決しようとする課題】
【０００７】
上記特許文献１及び２に記載の育苗装置では、播種後発芽しない或いは育成不良苗を有するキャビティについては「間引き」又は「植替え」が必要となる。
【０００８】
しかし、容器（キャビティ）はトレイに一体樹脂成形されているため、容器に育成不良の苗木がある場合、その容器ごとトレイから取り出すことができないという問題がある。
【０００９】
さらに、出荷時においてコンテナからの苗木の取り出しは、専用エジェクト機で全摘出される。全摘出とは、成長度合いに関係なくキャビティにある全ての苗木がコンテナから摘出されることである。その結果、未成熟苗は再度コンテナに戻されるが、摘出時のストレスでその後の成長が不安定になるという問題がある。
【００１０】
また、容器がトレイに一体樹脂成形されているため、トレイを不整地に置く場合、容器底部が不整地の凹凸地形に対応しない接地不良を引き起こす可能性がある。容器底部の接地不良は、苗木に潅水した水が容器から排水されないため、根腐れを引き起こす可能性がある。
【００１１】
そこで、本発明は上記従来技術の問題点に鑑み成されたものであり、その目的は根巻き等の根の異常変形のない健全な根鉢を持った苗木を多量に育成することが可能なカセット式苗木育成コンテナを提供することにある。
【課題を解決するための手段】
【００１２】
上記目的を達成するための本発明に係るカセット式苗木育成コンテナは、苗木を育成するための容器（１０）と、複数の前記容器（１０）を収容すると共に複数の脚部（２６）を有するトレイ部（２０）とを備えた苗木育成コンテナであって、前記容器（１０）は上部が径方向外側に張り出した枠部（１１）に形成され該上部から下方がコーン形状部（１２）に形成され、且つ前記トレイ部（２０）は前記枠部（１１）が嵌合する凹部（２１）を有すると共に前記凹部（２１）は前記コーン形状部（１２）を通す貫通穴（２２ａ）が形成され、且つ各前記容器（１０）は別個独立に前記トレイ部（２０）から分離可能に構成されていることを特徴とする。
【００１３】
上記構成では、容器（１０）はトレイ部（２０）に対し分離可能に且つ高さ方向に変位可能となる。これにより「植替え」や「間引き」については、対応する容器の交換のみによって行うことができ、全ての苗木をコンテナから摘出することがなくなる。
【００１４】
また、容器（１０）の上部が枠部（１１）に形成され、上部が拡幅していることにより、根鉢の上部における根の量を多くすることができる。これにより、土壌に移植された苗木が安定に成長するようになる。さらにトレイ部（２０）は容器（１０）を収容する部位が凹部（２１）に形成されているため、容器（１０）は回転不能になる。これにより、特にコンテナを移動する際の容器（１０）の姿勢が安定するようになる。
【００１５】
本発明に係るカセット式苗木育成コンテナの第２の特徴は、前記枠部（１１）の天板（１１ａ）には水平方向外側に伸びた鍔部（１１ｄ）が形成されていることである。
【００１６】
上記構成では、鍔部（１１ｄ）により容器（１０）をトレイ部（２０）から取り出し易くなる。
【００１７】
本発明に係るカセット式苗木育成コンテナの第３の特徴は、前記枠部（１１）の底部内周面（１１ｃ）は中心に向かうに従って高さが大きくなるテーパー面を成していることである。
【００１８】
上記構成では、容器（１０）の上部に保水性を持たすことが可能となる。これにより、上記枠部（１１）における根の量を多くすることができる。
【００１９】
本発明に係るカセット式苗木育成コンテナの第４の特徴は、前記コーン形状部（１２）は、底面の中心（１２ｆ）に関して放射状に重複することなく互いに異なる角度で形成された第１スリット部（１２ｃ）及び第２スリット部（１２ｄ）を高さ方向に沿って重複しないように別個に有することである。
【００２０】
上記構成では、苗木の根を下方に伸びるように成長させると共に、苗木に潅水した水を下方に導水し接地面を介して排水することが可能となる。
【００２１】
本発明に係るカセット式苗木育成コンテナの第５の特徴は、前記第２スリット部（１２ｄ）は、前記第１スリット部（１２ｃ）より下方に形成され、且つスリットの本数が前記第１スリット部（１２ｃ）よりも多いことである。
【００２２】
上記構成では、第２スリット部（１２）によって、下方に伸びる根を底部に誘導するようになる。これにより潅水した水を下方に好適に導水するようになる。
【００２３】
本発明に係るカセット式苗木育成コンテナの第６の特徴は、前記第２スリット部（１２ｄ）は、前記コーン形状部（１２）の側面（１２ａ）及び底面（１２ｂ）を切り欠いて前記底面の中心（１２ｆ）を含むことである。
【００２４】
上記構成では、底面（１２ｂ）のスリットによって、潅水した水を接地面を介して排水するようになる。これにより根腐れを好適に防止するようになる。
【００２５】
本発明に係るカセット式苗木育成コンテナの第７の特徴は、前記コーン形状部（１２）の内周面には、リブ（１２ｇ）が前記第１スリット部（１２ｃ）及び前記第２スリット部（１２ｄ）の何れの仮想延長線上にも存在しないように形成されていることである。
【００２６】
上記構成では、リブ（１２ｇ）によって、苗木の根が下方に伸びるように成長する。
【００２７】
本発明に係るカセット式苗木育成コンテナの第８の特徴は、前記容器（１０）は透明性を有する合成樹脂で成形されることである。
【００２８】
上記構成では、苗木の成長を可視化することができる。
【００２９】
本発明に係るカセット式苗木育成コンテナの第９の特徴は、前記トレイ部（２０）は透明性を有する合成樹脂で成形されることである。
【００３０】
上記構成では、苗木の成長をより明瞭に可視化することができる。
【００３１】
本発明に係るカセット式苗木育成コンテナの第１０の特徴は、前記容器（１０）は生分解材料から成形されることである。
【００３２】
上記構成では、苗木を容器（１０）から取り出さずに容器（１０）と共に直植えが可能となる。また、生分解材料に嫌臭成分を含有させることができるため、移植後の害獣被害を回避することができる。
【００３３】
本発明に係るカセット式苗木育成コンテナの第１１の特徴は、前記枠部は四角枠部（１１）又は円柱枠部に形成されていることである。
【００３４】
上記構成では、苗木の根が成長して枠部を圧迫する場合であっても、荷重を均等に分散させ、これにより容器（１０）の変形を好適に防止することが可能となる。
【発明の効果】
【００３５】
本発明のカセット式苗木育成コンテナによれば、苗木を育成する容器（１０）が別個独立にトレイ部（２０）から分離可能に且つ高さ方向に沿って相対変位可能に構成されているため、育成不良の苗木についてはその容器も一緒に取り出すことができ、苗木の育成管理が容易になると共に、不整地の凹凸地形に好適に追従することができ、接地不良による根腐れを好適に防止することが可能となる。また、根鉢の上部は根量が多くなり、苗木の根は下方に沿って伸びるように容器（１０）は成形されているため、根巻き等の根の異常変形のない健全な根鉢を持った苗木を多量に育成することが可能となる。
【図面の簡単な説明】
【００３６】
【図１】本発明の一実施形態に係るカセット式苗木育成コンテナを示す説明図である。
【図２】本発明に係るセルを示す説明図である。
【図３】図２（ｄ）のＢ部拡大図である。
【図４】本発明に係るトレイ部を示す斜視説明図である。
【図５】本発明の一実施形態に係るカセット式苗木育成コンテナの不整地の凹凸地形追従性を示す説明図である。
【図６】本発明の他の実施形態に係るセルの底面図である。
【発明を実施するための形態】
【００３７】
以下、添付図面を参照して本発明の実施形態を詳細に説明する。
【００３８】
図１は、本発明の一実施形態に係るカセット式苗木育成コンテナ１００を示す説明図である。
【００３９】
このカセット式苗木育成コンテナ１００は、苗木及び培地が充填される複数のセル１０と、セル１０を収容するトレイ部２０とを具備して構成されている。このカセット式苗木育成コンテナ１００は、苗木を育成するためのセル１０を複数（本実施形態では４０個）収容することが可能であり、各セル１０とトレイ部２０は分離可能かつ高さ方向に沿って相対変位可能に構成されている。従って、「植替え」や「間引き」については、育成不良苗又は未発芽種子が有るセル１０のみを交換することによって行うことができる。なお、ここで言う「カセット式」とは、各セル１０がトレイ部２０に一体化（固定）されておらず、各セル１０のトレイ部２０からの取り出し／トレイ部２０への取り付けが自由自在に行われるように構成されていることを意味している。以下、各構成についてさらに説明する。
【００４０】
図２は、本発明に係るセル１０を示す説明図である。図２（ａ）はセル１０の平面図であり、図２（ｂ）はセル１０の正面図であり、図２（ｃ）はセル１０の底面図であり、図２（ｄ）は図２（ｂ）のＡ−Ａ断面図である。
【００４１】
図２（ａ）及び図２（ｂ）に示されるように、セル１０は上部が中空四角柱形の四角枠部１１に形成され、下部が中空円錐形のコーン部１２に形成されている。四角枠部１１は、天板１１ａと側板１１ｂと底板１１ｃから成る。天板１１ａは角部（コーナー部）が側板１１ｂの角部より水平方向外側に張り出している。これにより、天板１１ａの角部には水平方向外側に伸びた鍔部１１ｄが形成されている。これにより、鍔部１１ｄを摘むことによりセル１０をトレイ部２０から取り出し易くなる。
【００４２】
側板１１ｂは４つのストレート部とその間を滑らかに接続するコーナー部とから成る。なお、側板１１ｂのストレート部の長さと天板１１ａのストレート部の長さは同じである。また、側板１１ｂに連続する底板１１ｃは、板厚が半径方向内側に向かって厚くなるテーパー面を成している。これについては図３を参照しながら後述する。
【００４３】
このように、セル１０の上部を四角枠部１１によって形成することにより、セル１０の上部が拡幅になる。それに加えて、底板１１ｃの上記テーパー面によってセル１０の上部が保水性を有するようになる。その結果、根鉢の上面部における根の量を多くすることが可能となる。
【００４４】
一方、図２（ｂ）に示されるように、コーン部１２は、側板１２ａと底板１２ｂとから成る。また、図２（ｄ）に示されるように、側板１２ａは、他のセルをスタックした際に他のセルとの間に隙間Δが形成されるように鉛直方向に関し傾斜している。つまり、側板１２ａはテーパー面を成している。
【００４５】
また、図２（ａ）に示されるように、側板１２ａには第１スリット１２ｃが底板中心１２ｆに関して９０°間隔で４個形成されている。第２スリット１２ｄは底板中心１２ｆに関して４５°間隔で８個形成されている。第１スリット１２ｃの仮想延長線上（長手方向）に第２スリット１２ｄが位置しないように、第１スリット１２ｃ及び第２スリット１２ｄはそれぞれ形成されている。
【００４６】
第２スリット１２ｄは側板１２ａ及び底板１２ｂを切り欠いて、さらに底板中心１２ｆを切り欠いている。第１スリット１２ｃ及び第２スリット１２ｄは、空気根切り（エア・プルーニング）により、苗木の根が下方に伸びて成長するように設けられている。
【００４７】
また、第２スリット１２ｄの個数が第１スリット１２ｃの個数より多いのは、第２スリット１２ｄは空気根切り（エア・プルーニング）の他に、セル１０内部に潅水した水を下方に導水し、排水するように設けられているためである。
【００４８】
また、図２（ａ）及び図２（ｄ）に示されるように、側板１２ａには底板中心１２ｆを中心として２つのリブ１２ｇが点対称に設けられている。このリブ１２ｇは、苗木の根が下方に沿って成長することを促進すると共に、コーン部１２の座屈や捻れ変形を好適に抑制する。また、第１スリット１２ｃ及び第２スリット１２ｄの各仮想延長線上（長手方向）にリブ１２ｇが位置しないようにリブ１２ｇは形成されている。
【００４９】
また、セル１０は透明な合成樹脂で成形されることが好ましい。これによりセル１０の内部（苗木の根の成長）を可視化することが可能となる。
【００５０】
また、セル１０は生分解材料で成形されることが好ましい。これにより根鉢をセル１０から取り出すことなく、セル１０と共に直植えが出来るようになる。
【００５１】
図３は、図２（ｄ）のＢ部拡大図である。説明の都合上、側板１１ｂのコーナー部とストレート部が重ねて図示されている。四角枠部１１の底板１１ｃの内周面は半径方向内側に向かって高さが大きくなるテーパー面を成している。これにより、セル１０の上部において保水性を確保することが可能となる。なお、テーパー面はコーナー部において長く確保されている。
【００５２】
図４は、本発明に係るトレイ部２０を示す斜視説明図である。このトレイ部２０は、その上面２４にセル１０を収容する所定深さｄの凹部２１が格子状（縦５個×横８個＝４０個）に形成されている。また、４つの隅部には全てのセル１０全体を支持する脚部２５が４個形成されている。なお、脚部２５の個数については４個以上であれば良く４個に限定されることはない。
【００５３】
凹部２１の内周面は、セル１０を受ける底面２２と、セル１０の四角枠部１１が嵌合する側面２３とから成る。底面２２にはセル１０のコーン部１２が貫通する貫通穴２２ａが形成されている。側面２３は、セル１０の四角枠部１１より若干幅広に形成されている。
【００５４】
図５は、本発明の一実施形態に係るカセット式苗木育成コンテナ１００の不整地の凹凸地形追従性を示す説明図である。
各セル１０とセル１０を収容するトレイ部２０は分離可能に構成されているため、各セル１０は高さ方向に変位可能である。従って、設置面に凹凸地形が有る場合、各セル１０は高さ方向にそれぞれ変位することによって設置面に接地する。これにより潅水した水を接地面を介して好適に排水することが可能となる。
【００５５】
以上の通り、本実施形態に係るカセット式苗木育成コンテナ１００によれば、セル１０とセル１０を収容するトレイ部２０が分離可能かつセル１０が高さ方向に沿って相対変位可能に構成されている。これにより、稚苗又は未発芽種子に対する「植替え」や「間引き」はセル１０の交換によって行うことができる。セル１０は個別に取り出すことができるため、出荷時に専用エジェクト機を使わずに済む。さらにセル１０は高さ方向に沿って相対変位可能に構成されているため、設置面に凹凸地形が有る場合であっても凹凸地形に追従して接地することができる。これにより潅水した水を設置面を介して好適に排水することが可能となる。
【００５６】
セル１０の四角枠部１１の天板１１ａ角部は、水平方向外側に張り出した鍔部１１ｄに形成されている。これによりセル１０を摘み易くなりセル１０の交換が容易となる。
【００５７】
また、セル１０の四角枠部１１の底板１１ｃは、半径方向内側に向かって高さが高くなるように形成されている。これによりセル１０の上部が拡幅になると共に保水性を有するようになる。その結果、根鉢上部における苗木の根の量が多くなり、苗木を土壌に移植した際に苗木が安定に成長するようになる。
【００５８】
コーン部１２の側板１２ａに、底板中心１２ｆに関して放射状に９０°の間隔で形成された第１スリット１２ｃと、同４５°の間隔で形成された第２スリット１２ｄは、長手方向が互いに一致せず且つ高さ方向に沿って重複しないように形成されている。また、第２スリット１２ｄは側板１２ａ及び底板１２ｂを切り欠いて底板中心１２ｆを含んでいる。これにより、苗木の根が下方に安定して伸びるようになると共に、潅水した水を下方に導水し接地面を介して好適に排水することが可能となる。その結果、根巻き、根腐れを好適に防止することが可能となる。
【００５９】
また、セル１０が透明な合成樹脂成形品である場合、苗木の成長を可視化することができる。セル１０に加えてトレイ部２０が透明な合成樹脂成形品である場合、苗木の成長をより明瞭に可視化することが可能となる。
【００６０】
また、セル１０が生分解材料から成形される場合、苗木をセル１０から取り出すことなく、セル１０のまま土壌に移植することが可能となる。生分解材料に嫌臭成分を含有することができるため、移植後の害獣被害を好適に回避することが可能となる。
【００６１】
以上、図面を参照しながら本発明の一実施形態について説明してきたが、本発明の実施形態は上記だけに限定されない。すなわち、本発明の技術的範囲内において種々の修正・改良を追加することが可能である。例えば、上記四角枠部に代えて円柱枠部を採用することも可能である。
【００６２】
また、図６に示されるように、第２スリット１２ｄの形成態様については、中間に底板１２ｂを挟んで底板中心１２ｆに到達するようにしても良い。
【符号の説明】
【００６３】
１０        セル
１１        四角枠部（枠部）
１１ａ      鍔部
１１ｂ      側板
１１ｃ      底板
１１ｄ      鍔部
１２        コーン部
１２ａ      側板
１２ｂ      底板
１２ｃ      第１スリット
１２ｄ      第２スリット
１２ｆ      底板中心
１２ｇ      リブ
２０        トレイ部
２１        四角凹部（凹部）
２２        底面
２３        側面
２４        上面
２５        脚部
１００      カセット式苗木育成コンテナ
【図１】
2020195338.tif 000003
【図２】
2020195338.tif 000004
【図３】
2020195338.tif 000005
【図４】
2020195338.tif 000006
【図５】
2020195338.tif 000007
【図６】
2020195338.tif 000008
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
苗木を育成するための容器（１０）と、
複数の前記容器を収容すると共に複数の脚部（２６）を有するトレイ部（２０）と、を
備えた苗木育成コンテナであって、
前記容器（１０）は上部が径方向外側に張り出した枠部（１１）に形成され該上部から
下方がコーン形状部（１２）に形成され、且つ
前記枠部（１１）の底部内周面（１１ｃ）は中心に向かうに従って高さが大きくなるテ
ーパー面を成し、且つ
前記トレイ部（２０）は前記枠部（１１）が嵌合する凹部（２１）が形成されると共に
前記コーン形状部（１２）を通す貫通穴（２２ａ）が形成され、且つ
各前記容器（１０）は別個独立に前記トレイ部（２０）から分離可能に構成されている
ことを特徴とするカセット式苗木育成コンテナ。
【請求項２】
請求項１に記載のカセット式苗木育成コンテナにおいて、
前記枠部（１１）の天板（１１ａ）には水平方向外側に伸びた鍔部（１１ｄ）が形成さ
れている
ことを特徴とするカセット式苗木育成コンテナ。
【請求項３】
請求項１又は２に記載のカセット式苗木育成コンテナにおいて、
前記コーン形状部（１２）は、底面の中心（１２ｆ）に関して放射状に重複することな
く互いに異なる角度で形成された第１スリット部（１２ｃ）及び第２スリット部（１２ｄ
）を高さ方向に沿って重複しないように別個に有する
ことを特徴とするカセット式苗木育成コンテナ。
【請求項４】
請求項３に記載のカセット式苗木育成コンテナにおいて、
前記第２スリット部（１２ｄ）は、前記第１スリット部（１２ｃ）より下方に形成され
、且つスリットの本数が前記第１スリット部（１２ｃ）よりも多い
ことを特徴とするカセット式苗木育成コンテナ。
【請求項５】
請求項３又は４に記載のカセット式苗木育成コンテナにおいて、
前記第２スリット部（１２ｄ）は、前記コーン形状部（１２）の側面及び底面を切り欠
いて前記底面の中心（１２ｆ）を含む
ことを特徴とするカセット式苗木育成コンテナ。
【請求項６】
請求項３から５の何れか１項に記載のカセット式苗木育成コンテナにおいて、
前記コーン形状部（１２）の内周面には、リブ（１２ｇ）が前記第１スリット部（１２
ｃ）及び前記第２スリット部（１２ｄ）の何れの仮想延長線上にも存在しないように形成
されている
ことを特徴とするカセット式苗木育成コンテナ。
【請求項７】
請求項１から６の何れか１項に記載のカセット式苗木育成コンテナにおいて、
前記容器（１０）は透明性を有する合成樹脂から成形される
ことを特徴とするカセット式苗木育成コンテナ。
【請求項８】
請求項１から７の何れか１項に記載のカセット式苗木育成コンテナにおいて、
前記トレイ部（２０）は透明性を有する合成樹脂から成形される
ことを特徴とするカセット式苗木育成コンテナ。
【請求項９】
請求項１から８の何れか１項に記載のカセット式苗木育成コンテナにおいて、
前記容器（１０）は生分解材料から成形される
ことを特徴とするカセット式苗木育成コンテナ。
【請求項１０】
請求項１から９の何れか１項に記載のカセット式苗木育成コンテナにおいて、
前記枠部は四角枠部（１１）又は円柱枠部に形成されている
ことを特徴とするカセット式苗木育成コンテナ。